(57)【要約】      （修正有）【課題】オムツの使用量を大きく減らし、尿便漏れの不愉快さを無くし、オムツカバーの洗濯作業の手間を解消する男性用尿パッドを提供する。【解決手段】男性用尿パッド１１は通水性の表面シート１２と、非通水性の裏面シート１４と、表面シートと裏面シートとの間に挿入された吸水部材からなる吸収シート１３とを備える。表面シート及び裏面シートは平面略楕円形に形成され、シートの外周縁が接合されて男性器の挿入口１６が形成され、挿入口にギャザー１７加工が施され、挿入口の大きさが弾性部材１８、テープ又は紐等の調節部材１９により調節され、裏面シート側に下着に貼り付けるための粘着テープが接合されている。【選択図】図３
0003208270.tif 000002
【実用新案登録請求の範囲】
【請求項１】
男性器と当接する側である通水性を有する表面シートと、非通水性を有する裏面シートと、前記表面シートと裏面シートとの間に挿入された吸水部材からなる吸収シートとを備える男性用尿パッドにおいて、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドの裏面シート側に下着に貼り付けるための粘着テープが接合されていることを特徴とする男性用尿パッド。
【請求項２】
男性器と当接する側である通水性を有する表面シートと、非通水性を有する裏面シートと、前記表面シートと裏面シートとの間に挿入された吸水部材からなる吸収シートとを備える男性用尿パッドの取付構造において、前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成されていることを特徴とする男性用尿パッドの取付構造。
【請求項３】
男性器と当接する側である通水性を有する表面シートと、非通水性を有する裏面シートと、前記表面シートと裏面シートとの間に挿入された吸水部材からなる吸収シートとを備える男性用尿パッドの取付構造において、前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成され、該ポケットが粘着テープによりパンツまたは褌に着脱自在に取付けられ、またはポケットが縫着により固着されていることを特徴とする男性用尿パッドの取付構造。
【請求項４】
シート型オムツカバーは、防水剤を含んだポリオレフインフイルムのＡ層シート、吸収剤、綿状パルプ、高分子吸水剤、ポリマー、吸水紙などのＢ層シート、ポリオレフインなどの不織布あるいは撥水性のある布、かぶれにくい肌に優しい防臭性のある素材のＣ層シートを設けた３枚の層からなることを特徴とするシート型オムツカバー。
【請求項５】
シート型オムツカバーにおいて、Ｂ層シートの位置は上部にも下部にも移動でき、上部に移動することで背中の汗を取り、又、Ｂ層シートは裏には防水紙を使わず、通風、吸収を第一とする請求項４記載のシート型オムツカバー。
【請求項６】
本考案のシート型オムツカバーは、既に登録された実用新案登録第３１４６０４９号の「男性用尿パット及び男性用尿パットの取付構造」図６の男性用尿パットの補助として同時使用することで、着脱が容易で、尿漏れを防止し、男性器の大便による汚れを防止し、蒸れ、汗疹、かぶれ等を軽減し、取替えも容易で衣類や寝具を汚すのを防止することを特徴とする請求項４に記載のシート型オムツカバー。
【考案の詳細な説明】
【技術分野】
【０００１】  本考案は男性器と当接する側である通水性を有する表面シートと、非通気性を有する裏面シートと、前記表面シートと裏面シートとの間に挿入された吸水部材からなる吸収シートとを備える男性用尿パッド及び男性用尿パッドの取付構造と病院、寝たきり老人、痴呆性患者等のシーツやオムツカバー等の用途に用いられるソフトな布地、合成繊維などを使用した耐洗濯性、耐抗菌性、耐黄性に優れ、洗浄して繰り返し使用することができ、又、一度ごとに、処理、破棄できる使い捨てカバーもある男女共に使用できるシート型オムツカバーに関する。
【背景技術】
【０００２】  従来より、男性用の尿パッドが種々提案されている。大人用の紙おむつは、形状的には小児用紙おむつの拡大版であり、大・小便の排泄に対応するという利点はあるものの、その着脱には非常に手間がかかる。大・小便の排泄に対応して複数回おむつの取替えが必要になる。【０００３】  介護者にとって意外に厄介なものは、痴呆症で歩行などに支障のない男性のおむつの取替えである。この負担を軽減し、寝ている状態は勿論、立っている時、椅子等に座っている状態でも、すばやく尿を吸収し、尿を漏らさず容易に着脱できる男性用の尿パッドが要望されている。【０００４】  この男性用の尿パッドは、高齢で尿漏れの不安を抱える人、頻尿の人、下半身が不自由な車椅子生活者の方の社会参加、自立支援を促進する側面もあり、資源の節約と同時に社会的な意義もある。更に健常者であっても万一の備え、例えば高速道路の渋滞などの際、ドライバーやタクシーの緊急時の備えとしても必要である。また議会の会議中や、発表会等の会合で席を立つことができない場合にも必要である。【０００５】  従来の男性用の紙おむつ等においては、おむつカバーの上に長方形の紙おむつを置き、これを複雑に折畳み、おむつカバーで固定している。また紙おむつ等を折り返して用い、更に複数の止着部や留め部を形成して尿漏れを防止している。また排尿袋をペニス（陰茎）に取付ける場合には、ペニスから排尿袋が脱落したり、ペニスが必要以上に押さえつけられたり、引っ張られたりし、装着感を悪化させる虞れを有していた。【０００６】  従来の男性用の尿パッドは男性器を被包して用いるもので、自由端及び固定端を有する立体フラップが尿パッドの上端縁に沿って形成され、前記立体フラップにスリットまたは破断によりスリットを形成し得るミシン目が形成された男性用の尿パッドが提案されている（例えば、特許文献１参照。）。また内部に陰茎を挿入できるように、吸水マットを円筒状に形成し、円筒の正面側周面に粘着部を設けた男性専用の尿とりおむつも知られている（例えば、特許文献２参照。）。【０００７】  高齢化社会と共に寝たきり老人や介護を必要とする高齢者、痴呆性患者が増加しており、状況に適合した設備や介護用品の充実が急務となっている現在、又、老人の介護は、重労働などを伴い、介護する人達も体力を使い非常に悪い環境下で従事しなければならず、特に寝たきりの患者、老人は排泄、排便が重要課題である、又、介護の人手不足等も深刻な問題になっている。
どんなに活躍し、世の中の為に大いに役に立ってがんばってきた方でも、脳の病気・ケガ等により損傷する事で徐々に行動、言動、すべてにおいて、機能が失われて、５〜１０〜１５〜２０年と、長い年月をかけて不自由が生じ、それを回りで介護する人に多くの手間が必要となり、５〜１０年位経つと、２４時間目を離せない程に、何をするかわからないという状況になることがあり、その中で特に、１人での排尿が出来なくなった時、夜間の尿もれは、介護の負担は睡眠を妨げられたり、安眠することもできなくなり、ただ我慢だけを強いられ、身体を壊すか、その場から逃げるか、あるいは何とかしようと工夫するかとなります。その中で、夜間何度も尿漏れ悩んだ末に、今あるオムツのインナーに着目しました。男性と女性とは、まったく異なる形にもかかわらず、男女が兼用としてのものしかない、徐々に男性用とうたったものがでているが、男性器独特の変化をおおいきれていない。今回のキャップ型の特徴は、男性器全体をすっぽりおおう事で、安定感と、吸収材にいち早く、吸い込ませ、ポリマーでかためて、もれを極力減らしたところが、今までに無いものです。
又、本考案のシート型のおむつは、上記のキャップ型と同時に使用することにより、それでもなお漏れてしまった水便等を、ねまき、シーツ等の汚れから守り一層の効果があることがわかり考案いたしました。
一つ一つ手作りで作っていたのでは介護者の負担を増やすもので、続きません。なんとか大量生産し、市場に出していただき、多くの必要としている人の役に立ちたいと思い、今回提案させていただきました。【０００８】
【特許文献１】特開２００７−６８６４３号公報
【特許文献２】特開２００１−２９９７９７号公報
【考案の開示】
【考案が解決しようとする課題】
【０００９】  然し乍ら、従来の特許文献１に記載の男性用尿パッドは、排泄物と着用者の肌との接触面積を少なくし、排泄物に起因するスキントラブルを減少させることができるが、尿パッドが男性器からずれたり、外れたりし易く、尿もれの虞れを有し、全体形状が大型でかさばる欠点を有し、更に男性器が不必要に押さえ付けられたり、引っ張られ、老齢者の男性器は裂傷を起こし易いものであった。一方介護者も体重の重い老齢者の介護では一日に何度もの着脱操作で労力の負担が著しく増大するものであった。【００１０】  また、特許文献２に記載の男性用尿パッドは、表面が透水性のプラスチック製不織布で形成され、裏面が不透水性のプラスチックシートで形成された円筒状の男性専用おむつであり、陰茎と陰襄（睾丸）とを分離させることを目的とし、陰襄（睾丸）がおむつに入らないようにしているも、おむつカバーと、おむつが必要であり、陰茎の離脱により、尿もれを起こすことが避けられず、頻繁におむつの交換が必要であり、更に大便が男性器に付着し、汚す虞れを有していた。【００１１】  本考案の目的は、キャップ型でコンパクト、着脱が容易でフィット感及び安心感を向上させることができ、尿漏れを防止することができ、男性器のみの部分装着であるので、大便が男性器に付着するのを防止することができ、蒸れ、汗疹、かぶれ等を軽減することができ、取替えも容易で衣類や寝具を汚す虞れを減少させることができ、本人は勿論介護者も楽に対応することができる経済性に優れた男性用尿パッド及び男性用尿パッドの取付構造を提供するものである。【００１２】  本考案は、従来の男性用尿取りパット又はパンツ型使い捨てオムツを使用することによって生じる経済的な問題及びゴミ等の増加の問題等、又、尿漏れ、排尿後の不快感、吸収の悪さがあり、快適さは期待できない状態であり、又、特に夜間の尿漏れを防ぐ為、パットとＴ字型、あるいはパンツ型のものの上にシート型カバーを何枚も重ねて巻くだけで効果はなく良くなかった。これらの問題を解決するために、防水した布製・樹脂製のシート型オムツカバーの使用によって、いままで生じた尿便漏れの不愉快さを無くし、下着・ねまきの洗濯作業の手間を出来るだけ解消すると同時に、着用者もしくは介護者の大きな負担を軽減することを目的とするものである。
【課題を解決するための手段】
【００１３】  本考案は上述せる課題に鑑みてなされたもので、本考案の請求項１に記載の男性用尿パッドは、男性器と当接する側である通水性を有する表面シートと、非通水性を有する裏面シートと、前記表面シートと裏面シートとの間に挿入された吸水部材からなる吸収シートとを備える男性用尿パッドにおいて、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドの裏面シート側に下着に貼り付けるための粘着テープが接合されていることを特徴とする。【００１４】  また、本考案の請求項２に記載の男性用尿パッドの取付構造は、男性器と当接する側である通水性を有する表面シートと、非通水性を有する裏面シートと、前記表面シートと裏面シートとの間に挿入された吸水部材からなる吸収シートとを備える男性用尿パッドの取付構造において、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成されていることを特徴とする。【００１５】  また、本考案の請求項３に記載の男性用尿パッドの取付構造は、男性器と当接する側である通水性を有する表面シートと、非通水性を有する裏面シートと、前記表面シートと裏面シートとの間に挿入された吸水部材からなる吸収シートとを備える男性用尿パッドの取付構造において、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成され、該ポケットが粘着テープによりパンツまたは褌に着脱自在に取付けられ、またはポケットが縫着により固着されていることを特徴とする。【００１６】  本考案は、上記目的を達成するために、既に登録された実用新案登録第３１４６０４９号の「男性用尿パット及び男性用尿パットの取付構造」を補助するシート型オムツカバーとして使用する。そのシート型オムツカバー１は、Ａの層２、Ｂの層３、Ｃの層４の３層構造を設け、Ａの層２は防水剤、ポリオレフインフイルムで構成し、Ｂの層３は吸収剤、綿状パルプ、高分子吸収剤、ポリマー、吸水紙で構成し、Ｃの層４は肌に触れる表面材はポリオレフイン等の不繊布あるいは撥水性のある布を使用、かぶれにくい肌に優しい防臭性のある素材で構成した三層構造からなり、その三層構造は全て接着テープ５、マジックテープ６で取り外し可能であり、マジックテープ７で二重に重ねた部分がずれ落ちないように設ける。又、この素材は洗濯できるタイプおよび１回使い切りタイプとがあります。Ａ・Ｂ・Ｃの層は連結して使用する方法と、別になっている方法があり、Ｂの層３は他の商品を吸収剤になるものと交換ができ、又、Ｂの層の使用位置は上部にも下部にも移動可能で、上部移動することで背中の汗取ることもでき、その裏に吸水紙を使わず、通風、吸収を第一とする。
以上、このシート型オムツカバーは、シーツ型にすることで、１つ目は就寝時の便、尿の横漏れ時に衣類、寝具の汚れを防ぐことが出来ます。２つ目は寝ている患者が排便をしたときに、シート型で面積が広いため、このシートを広げながら、作業が出来シーツや寝具を汚さずにすみます。３つ目は便、尿をしたまま立ち上がり、歩き廻っても、腰で巻き、テープで止めている為に、中のオムツが、重さでずれ落ちることが少なくなり問題を解決している。
【考案の効果】
【００１７】  本考案の請求項１に記載の男性用尿パッドによれば、粘着テープをパンツ等の下着に簡易迅速に所望とする状態に貼り付けることができ、着脱が容易でフィット感及び安心感を向上させることができ、尿漏れや大便が男性器に付着するのを防止することができ、蒸れ、汗疹、かぶれ等を軽減することができ、取替えも容易で衣類や寝具を汚す虞れを減少させることができ、本人は勿論介護者も楽に対応することができる。【００１８】  本考案の請求項２に記載の男性用尿パッドの取付構造によれば、男性用尿パッドはパンツまたは褌に形成されたポケットに収納されるように形成されているので、男性器の陰茎及び睾丸が不必要に引っ張られるのを防止し、男性用尿パッドの脱落や、歩行によるずれを防止することができ、大便が男性器に付着するのを防止することができる。【００１９】  本考案の請求項３に記載の男性用尿パッドの取付構造によれば、男性用尿パッドはパンツまたは褌に形成されたポケットに収納されるように形成され、該ポケットが粘着テープによりパンツまたは褌に着脱自在に取付けられ、またはポケットが縫着により固着されているので、男性器の陰茎及び睾丸が不必要に引っ張られるのを防止し、男性用尿パッドの脱落や、歩行によるずれを防止することができ、大便が男性器に付着するのを防止することができると共に、ポケットの着脱が容易でポケットだけ、またはパンツまたは褌とポケットとを同時に交換することができる。【００２０】  上述のように、前開き型シート型オムツカバー本体１、このシート型オムツカバーは、シーツ型にすることで、１つ目は就寝時の便、尿の横漏れ時に衣類、寝具の汚れを防ぐことが出来ます。２つ目は寝ている患者が排便をしたときに、シート型で面積が広いため、このシートを広げながら、作業が出来シーツや寝具を汚さずにすみます。３つ目は便、尿をしたまま立ち上がり、歩き廻っても、腰で巻き、テープで止めている為に、中のオムツが、重さでずれ落ちることが少なくなり大いに効果が期待できます。
【考案を実施するための最良の形態】
【００２１】  以下本考案に係る男性用尿パッド及び男性用尿パッドの取付構造を図面を参照して詳述する。【００２２】  図１乃至図４には本考案に係る男性用尿パッドの実施の形態が夫々示されており、図１は男性用尿パッドの使用状態の側面説明図、図２は男性用尿パッドの断面説明図、図３は男性用尿パッドの正面図、図４は男性用尿パッドの裏面図である。【００２３】  図１及び図２に示す如く、本考案に係る男性用尿パッド１１は男性器２１と当接する側である通水性を有する表面シート１２と、非通水性を有する裏面シート１４と、前記表面シート１２と裏面シート１４との間に挿入された吸水部材からなる吸収シート１３とを備えている。前記表面シート１２は通気性を有するかぶれにくい合成繊維の不織布、織布が好ましく、合成繊維としてはポリプロピレン、ポリエチレン、ナイロン等が用いられる。【００２４】  また裏面シート１４としては、尿の透過を防ぐことのできる液不透過性のポリエチレンフィルムがよいが、湿気やガスを透過させることのできる撥水性シートを用いるものであってもよい。前記表面シート１２と裏面シート１４は平面略楕円形に形成され、略楕円形の表面シート１２及び裏面シート１４の間に吸水部材としての例えば吸水性ポリマーからなる吸収シート１３が挿入されている。吸収シート１３は高吸水性ポリマー、綿状パルプ等の吸収性に優れ、防臭・抗菌効果のある素材を使用する。高吸水性ポリマーとしては、合成樹脂系、デンプン系等の高吸水性ポリマーが存在する。尚、吸水部材としては浸透圧を利用し、水分のみを吸収する浸透圧シート等を用いることができる。【００２５】  この吸収シート１３は表面シート１２と裏面シート１４の平面からみた外形形状より小さく形成され、且つ厚みが１０ｍｍ〜２０ｍｍに形成されている。この吸収シート１３は平面から見て長方形状であっても略楕円形状であってもよい。尚、吸収シート１３は部分的に厚さを変えたものであってもよい。前記表面シート１２と裏面シート１４の間に吸水性ポリマーからなる吸収シート１３を挿入した状態で表面シート１２と裏面シート１４の外周縁が接合され、且つ外周縁に男性器２１の挿入口１６が形成されている。【００２６】  前記挿入口１６に沿ってギャザー１７加工が施され、このギャザー１７に沿ってゴム紐等の弾性部材１８、及びテープ又は紐等の挿入口調節部材１９が設けられている。男性用尿パッド１１はキャップ型に形成され、男性器２１の陰茎２２及び睾丸２３の全体を包み込めるように形成されている。【００２７】  前記調節部材１９の作動長さをストッパーリング２０を調節部材１９の長手方向に移動させることにより調節することができ、挿入口１６の大きさが調節される。図２に示す如く、男性用尿パッド１１の全体形状が平面略楕円形に形成され、図１及び図２に示す如く、前記挿入口１６より男性器２１の陰茎２２及び睾丸２３が挿入されるようになされている。尚、男性用尿パッド１１の大きさは適宜設定することができるが、使用状態に応じて大・中・小の大きさのものを用意しておくのが好ましい。【００２８】  前記挿入口１６より男性器２１の陰茎２２及び睾丸２３を挿入した状態で、ゴム紐等の弾性部材１８により男性器２１全体が締め��けられ、テープ又は紐等の挿入口調節部材１９を、図３に示す如く、ストッパーリング２０により更に締めつけることにより、男性用尿パッド１１が簡易迅速に所望とする状態に確実に取付けられる。またストッパーリング２０に代えて粘着テープや紐等により締めつけることもできる。【００２９】  尚、裏面シート１４が使用者の腹部や脚部の上部に当接した場合に、感触が悪くなる虞れを有するので、必要に応じて裏面シート１４に表面シート１２と同様の感触のよい素材からなるカバーシートを接合してもよい。【００３０】  図４に示す如く、裏面シート１４側の外側には粘着テープ２５が取付けられ、この粘着テープ２５は、例えば両面テープから形成され、表面のシール２６を剥がすと粘着面が露出し、下着に張り付けることができ、男性用尿パッド１１がずれるのを防止することができる。下着を交換する際には粘着テープ２５を再使用することができる。【００３１】  図５乃至図７には、本考案に係わる男性用尿パッドの取付構造が夫々示されており、図５及び図６に示す実施の形態では、男性用尿パッド１１はパンツ３１に形成されたポケット３２に収納されるように形成されている。図７に示す実施の形態では、男性用尿パッド１１は褌４１に形成されたポケット４２に収納されるように形成されている。【００３２】  図５及び図６に示す実施の形態は、パンツ３１にポケット３２を設けたもので、ポケット３２の上部にフック形状の折り曲げ片３３が形成され、折り曲げ片３３の内側にパンツ３１の上部に接合される粘着テープ３４が設けられている。男性用尿パッド１１はポケット３２に収納され、パンツ３１のゴムの締付力も加わり、脱落や位置ずれの虞れがない。尚、本実施の形態ではポケット３２をパンツ３１に着脱自在としたが、パンツ３１に縫着したものであってもよい。【００３３】  図７に示す実施の形態は、男性用尿パッド１１が褌４１またはサポータに形成されたポケット４２に収納されるように形成されている。褌４１またはサポータは帯状ゴムから形成された腰ひも部４３と、腰ひも部４３の後部から下方に延びる後カバー４４と、後カバー４４より上方に延びる前カバー４５と、前記腰ひも部４３の外側より前部に跨がって折り返される前垂れ４６とを備えている。褌４１またはサポータの男性器２１と対向する側である前垂れ４６の内側にポケット４２が形成されている。尚、前記腰ひも部４３の内側より前部に跨がって折り返される前垂れ４６であってもよい。【００３４】  男性用尿パッド１１の吸収シート１３が多量の尿を吸収した場合、例えば３００〜５００ｃｃの尿を吸収した場合には重さがあるが、男性用尿パッド１１を十分に保持することができ、容易に歩行が可能である。褌４１またはサポータは生地をサラシ、絹、綿、または通気性のよい不織布やガーゼ等を使用することができる。【００３５】  既に登録された実用新案登録第３１４６０４９号の「男性用尿パット及び男性用尿パットの取付構造」を補助するシート型オムツカバーとして使用する。そのシート型オムツカバーは、Ａの層、Ｂの層、Ｃの層の３層構造を設け、Ａの層は防水剤、ポリオレフインフイルムで構成し、Ｂの層は吸収剤、綿状パルプ、高分子吸収剤、ポリマー、吸水紙で構成し、Ｃの層は肌に触れる表面材はポリオレフイン等の不繊布あるいは撥水性のある布を使用、かぶれにくい肌に優しい防臭性のある素材で構成した三層構造からなり、その三層構造は全て接着テープ、マジックテープＡで取り外し可能であり、マジックテープＢで二重に重ねた部分がずれ落ちないように設ける。又、この素材は洗濯できるタイプおよび１回使い切りタイプとがあります。Ａ・Ｂ・Ｃの層は連結して使用する方法と、別になっている方法があり、Ｂの層は他の商品を吸収剤になるものと交換ができ、又、Ｂの層の使用位置は上部にも下部にも移動可能で、上部移動することで背中の汗取ることもでき、その裏に吸水紙を使わず、通風、吸収を第一とする。
【図面の簡単な説明】
【００３６】
【図１】本考案に係る男性用尿パッドの使用状態の側面説明図。
【図２】本考案に係る男性用尿パッドの断面説明図。
【図３】本考案に係る男性用尿パッドの正面図。
【図４】本考案に係る男性用尿パッドの男性用尿パッドの裏面図。
【図５】本考案に係る男性用尿パッドの取付構造を示すパンツの正面説明図。
【図６】本考案に係る男性用尿パッドの取付構造を示すパンツの側面説明図。
【図７】本考案に係る男性用尿パッドの取付構造を示す褌またはサポータの正面説明図。
【００３７】既に登録された実用新案登録第３１４６０４９号の「男性用尿パット及び男性用尿パットの取付構造」を補助するシート型オムツカバーとして使用する図の説明図。
【図８】本考案のシート型オムツカバーの使用実施図
【図９】本考案のＡ層の平面図
【図１０】本考案のＢ層の平面図
【図１１】本考案のＣ層の平面図
【図１２】本考案のＡ・Ｂ・Ｃ層の積層図
【符号の説明】
【００３８】  １１    男性用尿パッド
１２    表面シート
１３    吸収シート
１４    裏面シート
１６    挿入口
１７    ギャザー
１８    弾性部材
１９    挿入口調節部材
２０    ストッパーリング
２１    男性器
２２    陰茎
２３    睾丸
２５    粘着テープ
３１    パンツ
３２    ポケット
３３    折り曲げ片
３４    粘着テープ
４１    褌
４２    ポケット
【符号の説明】既に登録された実用新案登録第３１４６０４９号の「男性用尿パット及び男性用尿パットの取付構造」を補助するシート型オムツカバーとして使用する符号の説明。【００３９】  １  シート型オムツカバー
２  Ａ層シート
３  Ｂ層シート
４  Ｃ層シート
５  接着テープ（素材によっては必要としない場合もある。）
６  マジックテープ又は接着テープＡ（何度も使えるもの、あまり強力でないもの）
７  マジックテープ又は接着テープＢ（何度も使えるもの、あまり強力でないもの）
【図１】
0003208270.tif 000003
【図２】
0003208270.tif 000004
【図３】
0003208270.tif 000005
【図４】
0003208270.tif 000006
【図５】
0003208270.tif 000007
【図６】
0003208270.tif 000008
【図７】
0003208270.tif 000009
【図８】
0003208270.tif 000010
【図９】
0003208270.tif 000011
【図１０】
0003208270.tif 000012
【図１１】
0003208270.tif 000013
【図１２】
0003208270.tif 000014
【手続補正書】
【提出日】平成28年6月23日(2016.6.23)
【手続補正１】
【補正対象書類名】実用新案登録請求の範囲
【補正対象項目名】全文
【補正方法】変更
【補正の内容】
【実用新案登録請求の範囲】
【請求項１】
男性器と当接する側である通水性を有する表面シートと、非通水性を有する裏面シートと、前記表面シートと裏面シートとの間に挿入された吸水部材からなる吸収シートとを備える男性用尿パッドにおいて、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドの裏面シート側に下着に貼り付けるための粘着テープが接合されていることを特徴とする男性用尿パッド。
【請求項２】
男性器と当接する側である通水性を有する表面シートと、非通水性を有する裏面シートと、前記表面シートと裏面シートとの間に挿入された吸水部材からなる吸収シートとを備える男性用尿パッドの取付構造において、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成されていることを特徴とする男性用尿パッドの取付構造。
【請求項３】
男性器と当接する側である通水性を有する表面シートと、非通水性を有する裏面シートと、前記表面シートと裏面シートとの間に挿入された吸水部材からなる吸収シートとを備える男性用尿パッドの取付構造において、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成され、該ポケットが粘着テープによりパンツまたは褌に着脱自在に取付けられ、またはポケットが縫着により固着されていることを特徴とする男性用尿パッドの取付構造。
【手続補正２】
【補正対象書類名】明細書
【補正対象項目名】全文
【補正方法】変更
【補正の内容】
【考案の詳細な説明】
【技術分野】
【０００１】  本考案は男性器と当接する側である通水性を有する表面シートと、非通気性を有する裏面シートと、前記表面シートと裏面シートとの間に挿入された吸水部材からなる吸収シートとを備える男性用尿パッド及び男性用尿パッドの取付構造に関する。
【背景技術】
【０００２】  従来より、男性用の尿パッドが種々提案されている。大人用の紙おむつは、形状的には小児用紙おむつの拡大版であり、大・小便の排泄に対応するという利点はあるものの、その着脱には非常に手間がかかる。大・小便の排泄に対応して複数回おむつの取替えが必要になる。【０００３】  介護者にとって意外に厄介なものは、痴呆症で歩行などに支障のない男性のおむつの取替えである。この負担を軽減し、寝ている状態は勿論、立っている時、椅子等に座っている状態でも、すばやく尿を吸収し、尿を漏らさず容易に着脱  できる男性用の尿パッドが要望されている。【０００４】  この男性用の尿パッドは、高齢で尿漏れの不安を抱える人、頻尿の人、下半身が不自由な車椅子生活者の方の社会参加、自立支援を促進する側面もあり、資源の節約と同時に社会的な意義もある。更に健常者であっても万一の備え、例えば高速道路の渋滞などの際、ドライバーやタクシーの緊急時の備えとしても必要である。また議会の会議中や、発表会等の会合で席を立つことができない場合にも必要である。【０００５】  従来の男性用の紙おむつ等においては、おむつカバーの上に長方形の紙おむつを置き、これを複雑に折畳み、おむつカバーで固定している。また紙おむつ等を折り返して用い、更に複数の止着部や留め部を形成して尿漏れを防止している。また排尿袋をペニス（陰茎）に取付ける場合には、ペニスから排尿袋が脱落したり、ペニスが必要以上に押さえつけられたり、引っ張られたりし、装着感を悪化させる虞れを有していた。【０００６】  従来の男性用の尿パッドは男性器を被包して用いるもので、自由端及び固定端を有する立体フラップが尿パッドの上端縁に沿って形成され、前記立体フラップにスリットまたは破断によりスリットを形成し得るミシン目が形成された男性用の尿パッドが提案されている（例えば、特許文献１参照。）。また内部に陰茎を挿入できるように、吸水マットを円筒状に形成し、円筒の正面側周面に粘着部を設けた男性専用の尿とりおむつも知られている（例えば、特許文献２参照。）。【０００７】
【特許文献１】特開２００７−６８６４３号公報
【特許文献２】特開２００１−２９９７９７号公報
【考案の開示】
【考案が解決しようとする課題】
【０００８】  然し乍ら、従来の特許文献１に記載の男性用尿パッドは、排泄物と着用者の肌との接触面積を少なくし、排泄物に起因するスキントラブルを減少させることができるが、尿パッドが男性器からずれたり、外れたりし易く、尿もれの虞れを有し、全体形状が大型でかさばる欠点を有し、更に男性器が不必要に押さえ付けられたり、引っ張られ、老齢者の男性器は裂傷を起こし易いものであった。一方介護者も体重の重い老齢者の介護では一日に何度もの着脱操作で労力の負担が著しく増大するものであった。【０００９】  また、特許文献２に記載の男性用尿パッドは、表面が透水性のプラスチック製不織布で形成され、裏面が不透水性のプラスチックシートで形成された円筒状の男性専用おむつであり、陰茎と陰襄（睾丸）とを分離させることを目的とし、陰襄（睾丸）がおむつに入らないようにしているも、おむつカバーと、おむつが必要であり、陰茎の離脱により、尿もれを起こすことが避けられず、頻繁におむつの交換が必要であり、更に大便が男性器に付着し、汚す虞れを有していた。【００１０】  本考案の目的は、キャップ型でコンパクト、着脱が容易でフィット感及び安心感を向上させることができ、尿漏れを防止することができ、男性器のみの部分装着であるので、大便が男性器に付着するのを防止することができ、蒸れ、汗疹、かぶれ等を軽減することができ、取替えも容易で衣類や寝具を汚す虞れを減少させることができ、本人は勿論介護者も楽に対応することができる経済性に優れた男性用尿パッド及び男性用尿パッドの取付構造を提供するものである。
【課題を解決するための手段】
【００１１】  本考案は上述せる課題に鑑みてなされたもので、本考案の請求項１に記載の男性用尿パッドは、男性器と当接する側である通水性を有する表面シートと、非通水性を有する裏面シートと、前記表面シートと裏面シートとの間に挿入された吸水部材からなる吸収シートとを備える男性用尿パッドにおいて、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドの裏面シート側に下着に貼り付けるための粘着テープが接合されていることを特徴とする。【００１２】  また、本考案の請求項２に記載の男性用尿パッドの取付構造は、男性器と当接する側である通水性を有する表面シートと、非通水性を有する裏面シートと、前記表面シートと裏面シートとの間に挿入された吸水部材からなる吸収シートとを備える男性用尿パッドの取付構造において、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成されていることを特徴とする。【００１３】  また、本考案の請求項３に記載の男性用尿パッドの取付構造は、男性器と当接する側である通水性を有する表面シートと、非通水性を有する裏面シートと、前記表面シートと裏面シートとの間に挿入された吸水部材からなる吸収シートとを備える男性用尿パッドの取付構造において、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成され、該ポケットが粘着テープによりパンツまたは褌に着脱自在に取付けられ、またはポケットが縫着により固着されていることを特徴とする。
【考案の効果】
【００１４】  本考案の請求項１に記載の男性用尿パッドによれば、粘着テープをパンツ等の下着に簡易迅速に所望とする状態に貼り付けることができ、着脱が容易でフィット感及び安心感を向上させることができ、尿漏れや大便が男性器に付着するのを防止することができ、蒸れ、汗疹、かぶれ等を軽減することができ、取替えも容易で衣類や寝具を汚す虞れを減少させることができ、本人は勿論介護者も楽に対応することができる。【００１５】  本考案の請求項２に記載の男性用尿パッドの取付構造によれば、男性用尿パッドはパンツまたは褌に形成されたポケットに収納されるように形成されているので、男性器の陰茎及び睾丸が不必要に引っ張られるのを防止し、男性用尿パッドの脱落や、歩行によるずれを防止することができ、大便が男性器に付着するのを防止することができる。【００１６】  本考案の請求項３に記載の男性用尿パッドの取付構造によれば、男性用尿パッドはパンツまたは褌に形成されたポケットに収納されるように形成され、該ポケットが粘着テープによりパンツまたは褌に着脱自在に取付けられ、またはポケットが縫着により固着されているので、男性器の陰茎及び睾丸が不必要に引っ張られるのを防止し、男性用尿パッドの脱落や、歩行によるずれを防止することができ、大便が男性器に付着するのを防止することができると共に、ポケットの着脱が容易でポケットだけ、またはパンツまたは褌とポケットとを同時に交換することができる。
【考案を実施するための最良の形態】
【００１７】  以下本考案に係る男性用尿パッド及び男性用尿パッドの取付構造を図面を参照して詳述する。【００１８】  図１乃至図４には本考案に係る男性用尿パッドの実施の形態が夫々示されており、図１は男性用尿パッドの使用状態の側面説明図、図２は男性用尿パッドの断面説明図、図３は男性用尿パッドの正面図、図４は男性用尿パッドの裏面図である。【００１９】  図１及び図２に示す如く、本考案に係る男性用尿パッド１１は男性器２１と当接する側である通水性を有する表面シート１２と、非通水性を有する裏面シート１４と、前記表面シート１２と裏面シート１４との間に挿入された吸水部材からなる吸収シート１３とを備えている。前記表面シート１２は通気性を有するかぶれにくい合成繊維の不織布、織布が好ましく、合成繊維としてはポリプロピレン、ポリエチレン、ナイロン等が用いられる。【００２０】  また裏面シート１４としては、尿の透過を防ぐことのできる液不透過性のポリエチレンフィルムがよいが、湿気やガスを透過させることのできる撥水性シートを用いるものであってもよい。前記表面シート１２と裏面シート１４は平面略楕円形に形成され、略楕円形の表面シート１２及び裏面シート１４の間に吸水部材としての例えば吸水性ポリマーからなる吸収シート１３が挿入されている。吸収シート１３は高吸水性ポリマー、綿状パルプ等の吸収性に優れ、防臭・抗菌効果のある素材を使用する。高吸水性ポリマーとしては、合成樹脂系、デンプン系等の高吸水性ポリマーが存在する。尚、吸水部材としては浸透圧を利用し、水分のみを吸収する浸透圧シート等を用いることができる。【００２１】  この吸収シート１３は表面シート１２と裏面シート１４の平面からみた外形形状より小さく形成され、且つ厚みが１０ｍｍ〜２０ｍｍに形成されている。この吸収シート１３は平面から見て長方形状であっても略楕円形状であってもよい。尚、吸収シート１３は部分的に厚さを変えたものであってもよい。前記表面シート１２と裏面シート１４の間に吸水性ポリマーからなる吸収シート１３を挿入した状態で表面シート１２と裏面シート１４の外周縁が接合され、且つ外周縁に男性器２１の挿入口１６が形成されている。【００２２】  前記挿入口１６に沿ってギャザー１７加工が施され、このギャザー１７に沿ってゴム紐等の弾性部材１８、及びテープ又は紐等の挿入口調節部材１９が設けられている。男性用尿パッド１１はキャップ型に形成され、男性器２１の陰茎２２及び睾丸２３の全体を包み込めるように形成されている。【００２３】  前記調節部材１９の作動長さをストッパーリング２０を調節部材１９の長手方向に移動させることにより調節することができ、挿入口１６の大きさが調節される。図２に示す如く、男性用尿パッド１１の全体形状が平面略楕円形に形成され、図１及び図２に示す如く、前記挿入口１６より男性器２１の陰茎２２及び睾丸２３が挿入されるようになされている。尚、男性用尿パッド１１の大きさは適宜設定することができるが、使用状態に応じて大・中・小の大きさのものを用意しておくのが好ましい。【００２４】  前記挿入口１６より男性器２１の陰茎２２及び睾丸２３を挿入した状態で、ゴム紐等の弾性部材１８により男性器２１全体が締め��けられ、テープ又は紐等の挿入口調節部材１９を、図３に示す如く、ストッパーリング２０により更に締めつけることにより、男性用尿パッド１１が簡易迅速に所望とする状態に確実に取付けられる。またストッパーリング２０に代えて粘着テープや紐等により締めつけることもできる。【００２５】  尚、裏面シート１４が使用者の腹部や脚部の上部に当接した場合に、感触が悪くなる虞れを有するので、必要に応じて裏面シート１４に表面シート１２と同様の感触のよい素材からなるカバーシートを接合してもよい。【００２６】  図４に示す如く、裏面シート１４側の外側には粘着テープ２５が取付けられ、この粘着テープ２５は、例えば両面テープから形成され、表面のシール２６を剥がすと粘着面が露出し、下着に張り付けることができ、男性用尿パッド１１がずれるのを防止することができる。下着を交換する際には粘着テープ２５を再使用することができる。【００２７】  図５乃至図７には、本考案に係わる男性用尿パッドの取付構造が夫々示されており、図５及び図６に示す実施の形態では、男性用尿パッド１１はパンツ３１に形成されたポケット３２に収納されるように形成されている。図７に示す実施の形態では、男性用尿パッド１１は褌４１に形成されたポケット４２に収納されるように形成されている。【００２８】  図５及び図６に示す実施の形態は、パンツ３１にポケット３２を設けたもので、ポケット３２の上部にフック形状の折り曲げ片３３が形成され、折り曲げ片３３の内側にパンツ３１の上部に接合される粘着テープ３４が設けられている。男性用尿パッド１１はポケット３２に収納され、パンツ３１のゴムの締付力も加わり、脱落や位置ずれの虞れがない。尚、本実施の形態ではポケット３２をパンツ３１に着脱自在としたが、パンツ３１に縫着したものであってもよい。【００２９】  図７に示す実施の形態は、男性用尿パッド１１が褌４１またはサポータに形成されたポケット４２に収納されるように形成されている。褌４１またはサポータは帯状ゴムから形成された腰ひも部４３と、腰ひも部４３の後部から下方に延びる後カバー４４と、後カバー４４より上方に延びる前カバー４５と、前記腰ひも部４３の外側より前部に跨がって折り返される前垂れ４６とを備えている。褌４１またはサポータの男性器２１と対向する側である前垂れ４６の内側にポケット４２が形成されている。尚、前記腰ひも部４３の内側より前部に跨がって折り返される前垂れ４６であってもよい。【００３０】  男性用尿パッド１１の吸収シート１３が多量の尿を吸収した場合、例えば３００〜５００ｃｃの尿を吸収した場合には重さがあるが、男性用尿パッド１１を十分に保持することができ、容易に歩行が可能である。褌４１またはサポータは生地をサラシ、絹、綿、または通気性のよい不織布やガーゼ等を使用することができる。
【図面の簡単な説明】
【００３１】
【図１】本考案に係る男性用尿パッドの使用状態の側面説明図。
【図２】本考案に係る男性用尿パッドの断面説明図。
【図３】本考案に係る男性用尿パッドの正面図。
【図４】本考案に係る男性用尿パッドの男性用尿パッドの裏面図。
【図５】本考案に係る男性用尿パッドの取付構造を示すパンツの正面説明図。
【図６】本考案に係る男性用尿パッドの取付構造を示すパンツの側面説明図。
【図７】本考案に係る男性用尿パッドの取付構造を示す褌またはサポータの正面説明図。
【符号の説明】
【００３２】    １１    男性用尿パッド
１２    表面シート
１３    吸収シート
１４    裏面シート
１６    挿入口
１７    ギャザー
１８    弾性部材
１９    挿入口調節部材
２０    ストッパーリング
２１    男性器
２２    陰茎
２３    睾丸
２５    粘着テープ
３１    パンツ
３２    ポケット
３３    折り曲げ片
３４    粘着テープ
４１    褌
４２    ポケット
【手続補正３】
【補正対象書類名】図面
【補正対象項目名】全図
【補正方法】変更
【補正の内容】
【図１】
0003208270.tif 000015
【図２】
0003208270.tif 000016
【図３】
0003208270.tif 000017
【図４】
0003208270.tif 000018
【図５】
0003208270.tif 000019
【図６】
0003208270.tif 000020
【図７】
0003208270.tif 000021